【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】
ドキュメントの基礎となる物理媒体の１以上の物理的属性を検査することによりドキュメント鍵を生成するステップと、
オリジナル画像によって前記ドキュメント鍵が再生できるようにしつつ、前記物理媒体上へと前記オリジナル画像を付与するステップと
を含んでなる、ドキュメントを認証するための方法。
【請求項２】
前記付与するステップが、
前記ドキュメント鍵と前記ドキュメントに対応する秘密鍵とを用いてデジタル署名を生成するステップと、
前記オリジナル画像内へと前記デジタル署名を符号化するステップと
を含む請求項１に記載の方法。
【請求項３】
前記付与するステップが、前記オリジナル画像として、前記物理媒体上に前記ドキュメント鍵を印刷することを含む請求項１に記載の方法。
【請求項４】
前記ドキュメントの記述とともに前記ドキュメント鍵を記録するステップをさらに含む請求項１に記載の方法。
【請求項５】
前記物理媒体の前記物理的属性を検査することにより前記ドキュメント鍵を生成することと、
前記オリジナル画像から再生されたドキュメント鍵を取得することと、
前記ドキュメント鍵を前記再生されたドキュメント鍵と比較することと
を実行することにより、前記ドキュメントを検査するステップをさらに含む請求項１に記載の方法。
【請求項６】
前記ドキュメント鍵を生成するステップが、前記物理媒体内の紙繊維パターンを検査することを含む請求項１に記載の方法。
【請求項７】
前記紙繊維パターンを検査するステップが、前記物理媒体の１組の所定の各領域内の紙繊維パターンを検査することを含む請求項６に記載の方法。
【請求項８】
前記付与するステップが、
前記ドキュメント鍵と前記ドキュメントに対応する共有の秘密鍵とを用いてデジタル署名を生成するステップと、
前記オリジナル画像内へと前記デジタル署名を符号化するステップと
を含む請求項１に記載の方法。
【請求項９】
前記物理媒体が紙である請求項１に記載の方法。
【請求項１０】
前記ドキュメント鍵を生成するステップが、前記物理媒体の密度の相違を検査することを含む請求項１に記載の方法。
【請求項１１】
前記ドキュメント鍵を生成するステップが、前記物理媒体内に付与される固有のパターンを検査することを含む請求項１に記載の方法。
【請求項１２】
前記固有のパターンを検査することが、前記物理媒体内の反射性物質のパターンを検査することを含む請求項１１に記載の方法。
【請求項１３】
前記固有のパターンを検査することが、前記物理媒体内のＵＶインクのパターンを検査することを含む請求項１１に記載の方法。
【請求項１４】
前記固有のパターンを検査することが、前記物理媒体上の所定の場所に印刷される１組の所定の形状を検査することを含む請求項１１に記載の方法。
【請求項１５】
前記所定の場所を測定するステップと、前記ドキュメント鍵内に前記所定の形状を符号化するステップとをさらに含む請求項１４に記載の方法。
【請求項１６】
ドキュメントに応答して、１組の画素データ値を生成するイメージング装置と、
前記ドキュメントの基礎となる物理媒体の１以上の物理的属性を検出して前記画素データ値を検査することによりドキュメント鍵を生成し、それにより、前記ドキュメント鍵が前記ドキュメント上の元の画像内に付与されるようにするドキュメント鍵生成器と
を含んでなる、ドキュメントを認証するための装置。
【請求項１７】
ドキュメントに応答して、１組の画素データ値を生成するイメージング装置と、
前記ドキュメントの基礎となる物理媒体の１以上の物理的属性を検出して前記画素データ値を検査することによりドキュメント鍵を生成し、それにより、前記ドキュメント鍵が前記ドキュメントから取得される再生されたドキュメント鍵と比較されるようにするドキュメント鍵生成器と
を含んでなる、ドキュメントを認証するための装置。
【手続補正２】
【補正対象書類名】明細書
【補正対象項目名】０００１
【補正方法】変更
【補正の内容】
【０００１】
【発明の属する技術分野】
本発明はドキュメント認証の分野に関する。より詳細には、本発明は、ドキュメントの基礎をなす物理媒体の物理的特性を用いるドキュメント認証に関する。
【手続補正３】
【補正対象書類名】明細書
【補正対象項目名】０００２
【補正方法】変更
【補正の内容】
【０００２】
【従来の技術】
イベントチケット、紙幣、株券、債券、小切手および他の法的文書等を含む多種多様なドキュメントは、一般に種々のタイプの偽造が行われる危険性がある。たとえば、そのようなドキュメントは、カラー複写機を用いて複写される場合がある。別の例では、真正なドキュメントの基礎をなす紙からインクが剥離され、さらにその紙の上に新しい画像が印刷される場合があり、それにより、安い額面のドキュメントから高い額面のドキュメントに改竄されるようになる。
【手続補正４】
【補正対象書類名】明細書
【補正対象項目名】０００３
【補正方法】変更
【補正の内容】
【０００３】
ドキュメント認証の従来の方法の中には、透かしおよび・または他の物体を、ドキュメントが印刷される用紙に挿入するものがある。そのような方法は、ドキュメントの基礎となる紙の特性を再現するのを難しくすることにより、偽造されるのを回避しようとする。ただし、そのような方法は通常、元の紙からインクを剥離して、新しい画像を印刷することを防ぐことはできないという問題がある。
【手続補正５】
【補正対象書類名】明細書
【補正対象項目名】０００４
【補正方法】変更
【補正の内容】
【０００４】
【発明が解決しようとする課題】
したがって本発明の目的は、ドキュメントの偽造を防止するために、ドキュメントの基礎をなす物理媒体の物理的特性を用いるドキュメント認証方法を提供することである。
【手続補正６】
【補正対象書類名】明細書
【補正対象項目名】０００５
【補正方法】変更
【補正の内容】
【０００５】
【課題を解決するための手段】
ドキュメントの基礎をなす物理媒体の１つあるいは複数の属性を検査することにより、そのドキュメントのためのドキュメント鍵が生成される、ドキュメントを認証するための方法が開示される。その際、オリジナル画像から後にドキュメント鍵を再生できるように、オリジナル画像がドキュメント鍵に関連付けられるように、オリジナル画像が物理媒体上に付与される。このように、ドキュメント鍵を通して、基礎の物理媒体をオリジナル画像と互いに関連付けることにより、オリジナル画像の改変、あるいはインクの剥離および再印刷、あるいは別の物理媒体上へのオリジナル画像の印刷のいずれかを通して実行された偽造を検出できるようになる。
【手続補正７】
【補正対象書類名】明細書
【補正対象項目名】０００９
【補正方法】変更
【補正の内容】
【０００９】
ステップ１０では、ドキュメントのためのドキュメント鍵が生成される。ドキュメント鍵は、そのドキュメントの基礎をなす物理媒体に関連付けられる１つあるいは複数の固有の物理的属性に基づく。その物理媒体は一般に紙媒体であるが、本発明の教示は、他のタイプの基礎材料にも同様に当てはまる。
【手続補正８】
【補正対象書類名】明細書
【補正対象項目名】００１０
【補正方法】変更
【補正の内容】
【００１０】
いくつかの実施形態では、ドキュメント鍵が基づく固有の物理的属性は、ドキュメントの基礎をなす紙媒体の製造中に形成される紙繊維の密度および・または向きのランダムな相違である。紙繊維の密度および・または向きのランダムな相違を判定するための１つの既知の構成が、米国特許第５，０８９，７１２号に記載される。紙繊維の特性を検出できるようにする他の既知の機構も用いることができる。
【手続補正９】
【補正対象書類名】明細書
【補正対象項目名】００１２
【補正方法】変更
【補正の内容】
【００１２】
ステップ１２では、ドキュメントの基礎をなす物理媒体上にオリジナル画像が付与される。オリジナル画像は、ドキュメント鍵が後にオリジナル画像から再生されるように付与される。ステップ１２は、ドキュメント鍵をオリジナル画像内に符号化することにより実行される場合がある。ドキュメント鍵は、デジタル署名技術を用いて符号化することができる。別法では、ステップ１２は、ドキュメント鍵を符号化し（たとえば、秘密鍵を用いる）、ある数字である符号化されたドキュメント鍵を、そのドキュメントの基礎をなす物理媒体上に印刷することにより実行される場合がある。
【手続補正１０】
【補正対象書類名】明細書
【補正対象項目名】００１４
【補正方法】変更
【補正の内容】
【００１４】
ステップ１６では、ステップ１４で取得されたデジタル署名が、そのドキュメント上のオリジナル画像内に符号化される。ステップ１６は、異なる固有の物理的属性を有する異なる紙にオリジナル画像を複写すると、その関係が壊れるように、ドキュメント鍵を介して、ドキュメント上のオリジナル画像を、基礎をなす物理媒体に関連付ける。
【手続補正１１】
【補正対象書類名】明細書
【補正対象項目名】００１７
【補正方法】変更
【補正の内容】
【００１７】
図３は、本発明の技術によるドキュメントを検査するための方法を示す。ステップ２０では、検査されるドキュメントのためのドキュメント鍵が生成される。そのドキュメント鍵は、検査されるドキュメントの基礎をなす物理媒体の固有の物理的属性に基づく。ドキュメント鍵は、ステップ２０において、ステップ１０において用いられたものと同様に取得される。すなわち、ドキュメントを認証する際にステップ１０において検査されたのと同じ固有の属性が、ドキュメントを検査する際にステップ２０において検査される。
【手続補正１２】
【補正対象書類名】明細書
【補正対象項目名】００２０
【補正方法】変更
【補正の内容】
【００２０】
秘密鍵は画像を基礎となる紙に固着させる。これは、真正物であることの検査基準を生成するために用いることができる。新しいオリジナル画像・複写画像が、公開鍵を用いてオリジナル画像のドキュメント鍵を復号化して生成されることができる場合、許可された複写を作成することができる。その際、透かしが除去され、新しい透かしが、秘密鍵を署名された新しいドキュメント鍵を用いて再度符号化される。
【手続補正１３】
【補正対象書類名】明細書
【補正対象項目名】００２２
【補正方法】変更
【補正の内容】
【００２２】
イメージング装置４２の画素解像度は、ドキュメント鍵５２が基づいているドキュメント４０の基礎をなす紙の固有の物理的属性を検出できるようにするよう選択される。一実施形態では、イメージング装置４２は２４００ｄｐｉの画素解像度を提供し、それにより、ドキュメント４０の基礎をなす紙の製造中に形成された紙繊維の密度のランダムな相違を検出できるようにする。
【手続補正１４】
【補正対象書類名】明細書
【補正対象項目名】００２８
【補正方法】変更
【補正の内容】
【００２８】
適当な波長の蛍光源あるいは紫外線（ＵＶ）源をＵＶセンサとともに用いて、ドキュメント４０内の反射性物質あるいはＵＶインクを検出することができる。ＵＶインクあるいは反射性物質は、偽造による複製が困難で高価になるように、基礎をなす紙媒体の製造中にドキュメント４０に付与されることが好ましい。ＵＶインクは、紙媒体の糸の中に入れられる場合がある。ドキュメント４０の反射性領域は、印刷される場合がある。
【手続補正１５】
【補正対象書類名】明細書
【補正対象項目名】００３０
【補正方法】変更
【補正の内容】
【００３０】
（実施態様１）以下の（ａ）及び（ｂ）のステップを含むドキュメント（４０）を認証するための方法、（ａ）前記ドキュメント（４０）の基礎をなす物理媒体の１つあるいは複数の物理的属性を検査することによりドキュメント鍵を生成するステップと、（ｂ）オリジナル画像によって前記ドキュメント鍵が再生できるように、前記物理媒体上に前記オリジナル画像を付与するステップ。
【手続補正１６】
【補正対象書類名】明細書
【補正対象項目名】００４５
【補正方法】変更
【補正の内容】
【００４５】
（実施態様１６）以下の（ａ）及び（ｂ）を備えるドキュメント（４０）を認証するための装置、（ａ） 前記ドキュメント（４０）に応答して、１組の画素データ値を生成するイメージング装置（４２）と、（ｂ） 前記ドキュメント（４０）の基礎をなす物理媒体の１つあるいは複数の物理的属性を検出するために前記画素データ値を検査することにより、ドキュメント鍵を生成し、それにより前記ドキュメント鍵が、前記ドキュメント（４０）上の元の画像内に付与されるようにするドキュメント鍵生成器（４４）。
【手続補正１７】
【補正対象書類名】明細書
【補正対象項目名】００４６
【補正方法】変更
【補正の内容】
【００４６】
（実施態様１７）以下の（ａ）及び（ｂ）を備えるドキュメント（４０）を認証するための装置、（ａ） 前記ドキュメント（４０）に応答して、１組の画素データ値を生成するイメージング装置（４２）と、（ｂ） 前記ドキュメント（４０）の基礎をなす物理媒体の１つあるいは複数の物理的属性を検出するために前記画素データ値を検査することにより、ドキュメント鍵を生成し、それにより前記ドキュメント鍵が、前記ドキュメント（４０）から取得される再生されたドキュメント鍵と比較されるようにするドキュメント鍵生成器（４４）。
【手続補正１８】
【補正対象書類名】明細書
【補正対象項目名】００４８
【補正方法】変更
【補正の内容】
【００４８】
【発明の効果】
上記のように、本発明によれば、ドキュメントの偽造を防止するために、ドキュメントの基礎をなす物理媒体の物理的特性を用いるドキュメント認証方法を実現することができる。